(57)【要約】【課題】  外為（Ｌ／Ｃ）決済と為替予約が関連づけて処理されていなかったである。つまり、Ｌ／Ｃを取り扱っているシステムと、為替の予約を取り扱っている為替予約システムとが別システムであったため、為替差損の問題が生じていた。【解決手段】  上記の課題を解決するために、本発明では、Ｌ／Ｃ決済データと為替予約のデータを連携して処理することとした。より具体的には、ユーザ（輸入業者）からのＬ／Ｃの発行要求もしくはユーザ（輸出業者）からのＬ／Ｃデータの買取依頼を受け付け、その中に含まれる決済時期の為替レートを特定し、当該為替レートでの為替予約処理を行う。【選択図】  図１
2006343998.tif 000002
【特許請求の範囲】
【請求項１】
国をまたがる取引である貿易における外為での決済を実行する外為決済システムにおいて、
予め、前記貿易に携わるユーザから受け付けられた、前記ユーザ毎に決済時期、為替レートおよび金額を対応付けられた為替予約データを記憶する手段と、
前記取引についての信用状の内容を示し、前記信用状を識別する情報および前記取引金額を含むL/Cデータを受信する手段と、
受信された場合、前記ユーザに対して、前記Ｌ／Ｃデータおよび前記為替予約データのうち、当該ユーザの為替予約データを提示する手段と、
前記提示に基づいた前記ユーザからの為替予約データの選択を受け付ける手段と、
受け付けられた為替予約データに基づいて、前記Ｌ／Ｃデータに関する決済を指示する手段とを有することを特徴とする外為決済システム。
【請求項２】
請求項1に記載の外為決済システムにおいて、
さらに、
前記貿易の当事国の金利の入力を受け付ける手段と、
入力された前記金利から為替レートを算出する手段とを有することを特徴とする外為決済システム。
【請求項３】
請求項１または２のいずれかに記載の外為決済システムにおいて、
さらに、金融機関の情報処理装置である勘定系システムとネットワークを介して接続する手段を有し、
前記決済を指示する手段は、前記勘定系システムに対して、前記為替予約データが示す金額の振込みを指示することを特徴とする外為決済システム。
【発明の詳細な説明】
【技術分野】
【０００１】
本発明は、貿易においていわゆる外為（外国為替）を用いた決済を、コンピュータを用いて処理する技術に関する。その中でも特に信用状（Ｌ／Ｃ：Letter of Credit）を用いた決済処理に関する。
【背景技術】
【０００２】
従来、貿易の決済においては、外貨建取引基準を用いる必要があった。つまり、売買契約時点で、その時点の為替レートで売上を計上し、決済時に再度この取引について、決済時の為替レートで売上を計上する必要があった。この場合、売買契約時と決済時の為替レートに差があると為替差損を計上しなくてはならない。例えば、売買契約時に\１０２＝＄１で＄１００の売上があり、決済時に為替レートが\９８＝＄１となった場合、\４００の為替差損が生じる。このこと、すなわちいわゆる「換算差額」に関しては、下記の非特許文献に記載されている。
【０００３】
【非特許文献１】「入門 外貨建取引等の会計と税務  斎藤奏著  税務経理協会  Ｐ１０８−Ｐ１０９」
【発明の開示】
【発明が解決しようとする課題】
【０００４】
従来は、為替差損の解消については特に検討されていなかったため、為替差損の問題を生じていた。これは外為（Ｌ／Ｃ）決済と為替予約が関連づけて処理されていなかったである。つまり、Ｌ／Ｃを取り扱っているシステムと、為替の予約を取り扱っている為替予約システムとが別システムであったため、為替差損の問題が生じていた。
【課題を解決するための手段】
【０００５】
上記の課題を解決するために、本発明では、Ｌ／Ｃ決済データと為替予約のデータを連携して処理することとした。より具体的には、ユーザ（輸入業者）からのＬ／Ｃの発行要求もしくはユーザ（輸出業者）からのＬ／Ｃデータの買取依頼を受け付け、その中に含まれる決済時期の為替レートを特定し、当該為替レートでの為替予約処理を行う。この結果、特定された為替レートをユーザ（輸出業者、輸入業者）に通知し、通知されたユーザは通知された為替レートで当該取引の計上をする。ここで、為替レートの特定には、貿易の当事国である輸出国、輸入国の金利に基づいて特定することが含まれる。
【０００６】
また、本発明には、Ｌ／Ｃの発行要求もしくはＬ／Ｃデータの買取要求を受け付け、発行処理等を行うシステムと為替予約処理を行うシステムが別システムであり、互いにネットワークを介して接続され、発行処理等を行うシステムが発行要求などから為替予約に必要なデータを抽出し、為替予約処理を行うシステムへ為替予約に必要なデータを送信することが含まれる。また、為替予約に必要なデータには、決済時期が含まれる。
【発明の効果】
【０００７】
本発明によれば、為替差損の問題を減ずるもしくは無くすことのできるシステムを提供することが可能になる。
【発明を実施するための最良の形態】
【０００８】
以下、本発明の一実施例を図面を用いて説明する。
図１に本発明の一実施例のシステム構成図を示す。１は、貿易に携わるユーザ（輸出業者もしくは輸入業者）が用いるユーザ端末である。２は、Ｌ／Ｃの発行、審査などを行うためのシステムであり、金融機関が管理するセンタサーバである。３は、与信を行うための信用システムである。３は保険会社が運用していてもよい。４は、Ｌ／Ｃの配布を行う金融機関が管理する第三者機関装置である。５は、いわゆる為替予約の情報処理を実行する為替予約システムである。為替予約システム５の決済に応じて、預金の移動などを行う預金システム、いわゆる勘定系システムである。なお、各システムは、互いにネットワークなどを介して接続され、それぞれＣＰＵなどの処理装置、メモリ、プログラムやデータなどを保存する記憶装置を有し、プログラムに従って情報処理を行うものである。また、各ＤＢの内容に関しては、図５に示したとおりである。
【０００９】
本実施例は、ユーザ間（輸出業者と輸入業者）で取引がなされた場合の処理について説明するものである。ユーザ間で売買契約が成立した場合、輸入業者が金融機関（センタシステム２）に対して、Ｌ／Ｃの発行依頼を出し、輸出業者側の金融機関（第三者機関装置４）にＬ／Ｃを転送し、ここから輸出業者へＬ／Ｃが送られる場合である。この場合、輸出業者から輸出業者側の金融機関に対して、Ｌ／Ｃに記載された条件を満たすＩ／Ｖ（インボイス）やＰ／Ｌ（パッキングリスト）をＬ／Ｃに添えて提出して決済の依頼を行う。なお、この場合、Ｌ／Ｃなどは電子的なデータであってもよい。
【００１０】
次に、図２を用いて、処理の内容を説明する。なお、下記で説明する処理に応じて、ユーザ端末１の画面は図６〜９のとおり遷移する。
【００１１】
まず、ステップ１０１において、センタシステム２がユーザ端末１からＬ／Ｃ買取依頼および買取が要求されているＬ／Ｃデータを受信して、Ｌ／Ｃ買取依頼を為替予約システム５に転送する。また、Ｌ／ＣデータをＬ／ＣデータＤＢ２１に記録する。Ｌ／Ｃ買取依頼は、金融機関に対し、Ｌ／Ｃで規定されている買取条件に従って当該Ｌ／Ｃを買い取ることを要求するデータである。Ｌ／Ｃ買取依頼には、取引の金額、期日（決済時期）、Ｌ／Ｃを識別するＬ／Ｃナンバーを含むＬ／Ｃ情報が含まれる。なお、Ｌ／Ｃデータの構造は図3に示すとおりであり、少なくとも取引金額およびＬ／Ｃナンバー（Ｌ／ＣＮＯ．）を含む。
【００１２】
次に、ステップ１０２において、為替予約システム５は、Ｌ／Ｃ買取依頼およびセンタシステム４もしくはその金融機関を識別するセンタシステム識別情報を受信する。
そして、ステップ１０３において、為替予約システム５は、受信したセンタシステム識別情報に基づいて、認証処理を行う。
【００１３】
次に、ステップ１０４において、為替予約システム５は、Ｌ／Ｃナンバーを用いて、Ｌ／ＣデータＤＢから、当該Ｌ／Ｃ買取依頼に対応するＬ／Ｃデータを検索し、これを読み取る。このため、Ｌ／ＣデータＤＢ２１においては、各Ｌ／ＣデータはＬ／Ｃナンバー毎に記録されている。
【００１４】
ここで、ステップ１０５の事前準備の処理を説明する。ユーザは予めユーザ端末１を介して為替予約システム5に対して、為替予約の要求を行う。つまり、決済時期と金額を指定する。これにより、図４に示すような為替レートでの為替予約が為替予約ＤＢ５１に記録される。つまり、ユーザＡ社は、１０／２１が決済時期で、為替レートが＄１＝\１０２で＄５０００の為替予約が入っている。以下、１０／２２〜１０／２５も同様である。
【００１５】
なお、ここで、各為替レートはセンタシステム４で決定するものであり、それぞれの国の金利および決済時期に基づいてシステム側で決定しても良いし、銀行員が人為的に決めても良い。これで、ステップ１０５の準備についての説明を終わる。
【００１６】
次に、ステップ１０５について説明する。ここで、対象とする取引の取引金額は、図４に示すとおり＄１００００とする。ここで、為替予約システム５は、ユーザ端末１に対して、為替予約ＤＢ５１に記録されたＡ社の為替予約の内容とＬ／ＣデータのＬ／Ｃナンバーと取引金額を対応付けて出力させる。そこで、ユーザは、取引金額に合計金額があうように、為替予約の内容を選択し、選択されたデータをユーザ端末１から為替予約システム５に送信する。例えば、図４に示す例の場合、１０／２１、１０／２２、１０／２３のデータを選択する。なお、この選択は、金額を予め設定した範囲内でユーザが選択可能とすることも含む。
【００１７】
次に、ステップ１０６において、為替予約システムは、選択されたデータに基づいて決済処理を実行する。つまり。預金システム６に対して、選択されたレートでの金額を振込先（第三者機関装置４の金融機関）の口座に選択されたデータに基づく金額が振り込むよう指示を出す。これにより、預金ＤＢ６１のデータが書き換えられ、決済が終了する。
【００１８】
そして、ステップ１０７において、為替予約システム５は、センタシステム２に対して、決済が完了したことを通知する。これをステップ１０８において、センタシステム４が受信し、これに応じてステップ１０９において、決済が完了したことをユーザ端末１に通知する。そして、ユーザ端末１が、決済が完了したことを受信して、本処理を終了する。
【図面の簡単な説明】
【００１９】
【図１】は、本発明の一実施例のシステム構成図である。
【図２】は、本発明の一実施例のフローチャートである。
【図３】は、Ｌ／Ｃデータの内容を示す図である。
【図４】は、為替予約ＤＢ５１とＬ／Ｃデータを示す図である。
【図５】は、各ＤＢの内容を示す図である。
【図６】は、ユーザ端末１の画面遷移を示す図（その１）である。
【図７】は、ユーザ端末１の画面遷移を示す図（その２）である。
【図８】は、ユーザ端末１の画面遷移を示す図（その３）である。
【図９】は、ユーザ端末１の画面遷移を示す図（その４）である。
【符号の説明】
【００２０】
１…ユーザ端末、２…センタシステム、３…信用システム、４…第三者機関装置、５…為替予約システム、６…預金システム
【図１】
2006343998.tif 000003
【図２】
2006343998.tif 000004
【図３】
2006343998.tif 000005
【図４】
2006343998.tif 000006
【図５】
2006343998.tif 000007
【図６】
2006343998.tif 000008
【図７】
2006343998.tif 000009
【図８】
2006343998.tif 000010
【図９】
2006343998.tif 000011